(57)【要約】【課題】ペットボトルの開口部からホッパー内への逆戻りを確実に防止し、作業がスムーズに行え、積載量をアップでき、収集運搬コストの大幅な軽減を図り、構成簡素で、堅牢で、耐久性に優れ、量産に適し、低廉で、経済的にも優れたペットボトル用逆戻り防止装置を提供する。【解決手段】車両１に搭載した収集容器体２の後部にホッパー５を連設し、後部投入口６から投入した多数のペットボトルを、所定の揺動・摺動動作を繰返し行うよう形成した掻込板９によって、開口部４から収集容器体２内に順次押込むよう構成したゴミ収集車に於いて、掻込板９の掻込面に、複数の逆戻り防止腕Ｂを適宜間隔で配し、掻込板９が開口部４を塞ぐように移動するときに、逆戻り防止腕Ｂの一部或いは全部が開口部４から収集容器体２内に進入してペットボトルを圧迫可能となるよう構成する。【選択図】図２
2006036409.tif 000002
【特許請求の範囲】
【請求項１】
適宜車両に搭載された収集容器体の後部にホッパーが連設され、このホッパーの後部投入口から投入された多数のペットボトルが、所定の揺動・摺動動作を繰返し行うように形成された掻込板によって、ホッパー前部の開口部から収集容器体内に順次積込まれるように構成したゴミ収集車に於いて、掻込板の掻込面に、複数の逆戻り防止腕を適宜間隔で配し、掻込板が開口部を塞ぐように移動し次の工程に移った際、複数の逆戻り防止腕により掻き込んだペットボトルが収集容器体内からホッパー内に逆戻りすることなく、次の積込が可能となるように構成したことを特徴とするプレス式ゴミ収集車に於けるペットボトル用逆戻り防止装置。
【請求項２】
適宜車両に搭載された収集容器体の後部にホッパーが連設され、このホッパーの後部投入口から投入された多数のペットボトルが、所定の揺動・摺動動作を繰返し行うように形成された掻込板によって、ホッパー前部の開口部から収集容器体内に順次積込まれるように構成したゴミ収集車に於いて、掻込板の掻込面に、複数の逆戻り防止腕を適宜間隔で配し、掻込板が開口部を塞ぐように移動するときに、逆戻り防止腕の一部或いは全部が開口部から収集容器体内に進入してペットボトルを圧迫可能となるよう構成したことを特徴とするプレス式ゴミ収集車に於けるペットボトル用逆戻り防止装置。
【請求項３】
複数の逆戻り防止腕は、掻込板に着脱自在に装着できるよう構成したことを特徴とする請求項１または請求項２記載のプレス式ゴミ収集車に於けるペットボトル用逆戻り防止装置。
【請求項４】
複数の逆戻り防止腕と、この複数の逆戻り防止腕が所定間隔で固着される取付板とで逆戻り防止体を形成し、掻込板の掻込面に適数のベース盤を固着し、このベース盤に適宜取付手段を介して適数の逆戻り防止体が着脱自在となるように構成したことを特徴とする請求項１または請求項２記載のプレス式ゴミ収集車に於けるペットボトル用逆戻り防止装置。
【発明の詳細な説明】
【技術分野】
【０００１】
本発明は、主に、プレス式のゴミ収集車に設置することで、多数のリサイクル用ペットボトルを能率良く収集できるように工夫したプレス式ゴミ収集車に於けるペットボトル用逆戻り防止装置に関するものである。
【背景技術】
【０００２】
従来から使用済みペットボトルの収集運搬車としては、例えば、巻込車、平ボディー車、ロータリー車、プレス車、パネルバン車、ダンプ車等の六つのタイプの車両が稼動しており、ペットボトルの積載量が一番多いものとしてはプレス車（プレス式ゴミ収集車）がある。すなわち、プレス車（プレス式ゴミ収集車）は、ペットボトルを高圧縮状態で積込めるようになり、ペットボトル自身が略スルメ状に減容されるためである。
尚、このプレス車は、主に、粗大ゴミ、不燃ゴミ、古紙、段ボール、一般ゴミ等の収集運搬車として利用されることが多い。
そして、プレス車は、特許文献１に示すように、適宜車両に搭載された塵芥収集箱の後部に塵芥投入箱（ホッパー）が連設され、この塵芥投入箱（ホッパー）の後部投入口から投入された塵芥が、所定の揺動・摺動動作を繰返し行うように形成された押込板によって、塵芥収集箱の後方開口部から塵芥収集箱内に順次押込まれて積載できるように構成されている。
【０００３】
【特許文献１】特開昭６２−２６９８０２号公報
【発明の開示】
【発明が解決しようとする課題】
【０００４】
しかしながら、前述のプレス車にあっては、多数の使用済ペットボトルをバラバラの状態で積込む場合に、塵芥投入箱（ホッパー）内底部のペットボトルを、押込板で巻込む（掻込む）ようにしてから、その摺動動作によって後方開口部から塵芥収集箱内に押込んだ後、次のペットボトルを押込板で巻込む（掻込む）際に、塵芥収集箱内に一旦押込んだペットボトルが塵芥投入箱（ホッパー）内に逆戻りする虞れがあり、次の押込板での巻込み（掻込み）作業が行えなくなる難点があった。すなわち、ペットボトルの積込み作業が能率的に行い難く、作業者の負担が大きい等の難点があった。ひいては、収集運搬コストに影響する等の問題点もあった。
尚、多数のペットボトルを袋に入れたものを、塵芥投入箱（ホッパー）内に投入した場合は、前述のような逆戻り現象は生じ難いものとなるが、袋と袋の間に隙間が生じ易くなり、積載量が大幅に低下してしまう難点があった。すなわち、積載量の低下は、収集運搬コストに影響し、この種のリサイクル用ペットボトルの収集にあっては、重要な問題点の一つとなっている。
【０００５】
そこで、本発明は、多数のリサイクル用ペットボトルを能率良く積込んで、収集運搬でき、また、前述のようなペットボトルの逆戻り現象が生じ難くなるようにすると共に、ペットボトルの積載量をアップできるようにし、ひいては、収集運搬コストの大幅な軽減が図れ、加えて、収集ゴミがペットボトルの場合と塵芥の場合とで、一台のプレス式ゴミ収集車を使い分け可能とし、しかも、取扱いが容易で、使い勝手に優れ、構成が簡素で、堅牢で、耐久性に優れ、量産に適し、低廉で、経済的にも優れたペットボトル用逆戻り防止装置を提供すべく創出されたものである。
【課題を解決するための手段】
【０００６】
しかして、前述の如き課題を達成すべく請求項１記載のペットボトル用逆戻り防止装置にあっては、適宜車両１に搭載された収集容器体２の後部にホッパー５が連設され、このホッパー５の後部投入口６から投入された多数のペットボトルが、所定の揺動・摺動動作を繰返し行うように形成された掻込板９によって、ホッパー５前部の開口部４から収集容器体２内に順次積込まれるように構成したゴミ収集車に於いて、掻込板９の掻込面に、複数の逆戻り防止腕Ｂを適宜間隔で配し、掻込板９が開口部４を塞ぐように移動し次の工程に移った際、複数の逆戻り防止腕Ｂにより掻き込んだペットボトルが収集容器体２内からホッパー５内に逆戻りすることなく、次の積込が可能となるように構成する手段を採用した。
【０００７】
また、請求項２記載のペットボトル用逆戻り防止装置にあっては、適宜車両１に搭載された収集容器体２の後部にホッパー５が連設され、このホッパー５の後部投入口６から投入された多数のペットボトルが、所定の揺動・摺動動作を繰返し行うように形成された掻込板９によって、ホッパー５前部の開口部４から収集容器体２内に順次積込まれるように構成したゴミ収集車に於いて、掻込板９の掻込面に、複数の逆戻り防止腕Ｂを適宜間隔で配し、掻込板９が開口部４を塞ぐように移動するときに、逆戻り防止腕Ｂの一部或いは全部が開口部４から収集容器体２内に進入してペットボトルを圧迫可能となるよう構成する手段を採用した。
【０００８】
更に、請求項３記載のペットボトル用逆戻り防止装置にあっては、複数の逆戻り防止腕Ｂは、掻込板９に着脱自在に装着できるよう構成する手段を採用した。
【０００９】
そして、請求項４記載のペットボトル用逆戻り防止装置にあっては、複数の逆戻り防止腕Ｂと、この複数の逆戻り防止腕Ｂが所定間隔で固着される取付板１５とで逆戻り防止体Ａを形成し、掻込板９の掻込面に適数のベース盤２０を固着し、このベース盤２０に適宜取付手段を介して適数の逆戻り防止体Ａが着脱自在となるように構成する手段を採用した。
【発明の効果】
【００１０】
従って、請求項１記載のペットボトル用逆戻り防止装置によれば、従来のように次のペットボトルを掻込板９で巻込む（掻込む）際に、一旦収集容器体２内に押込んだペットボトルがホッパー５内に逆戻りするような虞れがなくなり、掻込板９での次の巻込み（掻込み）作業がスムーズに行えるようになる。
更に、ペットボトルの積載量をアップできるようになり、多数のリサイクル用ペットボトルを能率良く積込んで、収集運搬できるようになる。ひいては、収集運搬コストの大幅な軽減が図れるようになる。
しかも、構成が簡素で、堅牢で、耐久性に優れ、量産に適し、低廉で、経済的にも優れたものとなる。
加えて、複数の逆戻り防止腕Ｂを適宜間隔で配してあるので、ホッパー５内のペットボトルを掻込板９で巻込む（掻込む）際に、複数の逆戻り防止腕Ｂが複数のペットボトルの中に潜り込むときの抵抗が少なくて済むようになり、掻込板９の作動力を強化する必要がないものとなる。
【００１１】
また、請求項２記載のペットボトル用逆戻り防止装置によれば、複数の逆戻り防止腕Ｂが開口部４から収集容器体２内に進入してペットボトルを圧迫するため、ペットボトル自身が変形して、ペットボトル相互が絡むようになると共に、ペットボトルを開口部４付近から収集容器体２奥方に押込めるようになり、収集容器体２内で圧迫されたペットボトルが開口部４からホッパー５内に逆戻りするのを確実に防止できるようになる。
すなわち、従来のように次のペットボトルを掻込板９で巻込む（掻込む）際に、一旦収集容器体２内に押込んだペットボトルがホッパー５内に逆戻りするような虞れがなくなり、掻込板９での次の巻込み（掻込み）作業がスムーズに行えるようになる。
更に、逆戻り防止腕Ｂによってペットボトルを収集容器体２奥方に押込め、ペットボトルの積載量をアップできるようになり、多数のリサイクル用ペットボトルを能率良く積込んで、収集運搬できるようになる。ひいては、収集運搬コストの大幅な軽減が図れるようになる。
しかも、構成が簡素で、堅牢で、耐久性に優れ、量産に適し、低廉で、経済的にも優れたものとなる。
加えて、複数の逆戻り防止腕Ｂを適宜間隔で配してあるので、ホッパー５内のペットボトルを掻込板９で巻込む（掻込む）際に、複数の逆戻り防止腕Ｂが複数のペットボトルの中に潜り込むときの抵抗が少なくて済むようになり、掻込板９の作動力を強化する必要がないものとなる。
【００１２】
更に、請求項３記載のペットボトル用逆戻り防止装置によれば、逆戻り防止腕Ｂの装着、或いは取外しによって、収集ゴミがペットボトルの場合と塵芥の場合とで、一台のプレス式ゴミ収集車を使い分け可能となり、経済的な負担の少ないものとなる。
しかも、逆戻り防止腕Ｂのメンテナンスや互換装着が容易となり、取扱いが容易で、使い勝手に優れたものとなる。
【００１３】
そして、請求項４記載のペットボトル用逆戻り防止装置によれば、逆戻り防止体Ａの装着、或いは取外しによって、収集ゴミがペットボトルの場合と塵芥の場合とで、一台のプレス式ゴミ収集車を使い分け可能となり、経済的な負担の少ないものとなる。
しかも、複数の逆戻り防止腕Ｂが取付板１５に固着されている逆戻り防止体Ａ単位で装着、取外しが行え、逆戻り防止体Ａのメンテナンスや互換装着がより容易に行えるようになり、その取扱いがより容易となって、より使い勝手に優れたものとなる。
【発明を実施するための最良の形態】
【００１４】
以下、本発明を図示例に基づいて説明すると、次の通りである。
本発明のペットボトル用逆戻り防止装置が装着されるプレス式ゴミ収集車は、適宜車両１にゴミの収集容器となる収集容器体２を搭載し、この収集容器体２の後部にホッパー５を連設したもので、このホッパー５の後部投入口６から投入された多数のペットボトル（或いは、粗大ゴミ、不燃ゴミ、古紙、段ボール、一般ゴミ等）が、ホッパー５内に設けた掻込板９の所定の揺動・摺動動作からなるサイクル動作（例えば、ホッパー５底部がわに向って斜めに摺動する斜降下動作、投入口６がわから開口部４がわに向って揺動する掻込み動作、ホッパー５底部から斜めに摺動する押上げ動作、開口部４を塞いだ状態から投入口６がわに向って揺動する復帰動作）によって、ホッパー５前部の開口部４から収集容器体２内に順次押込まれるように構成されている。
【００１５】
尚、図中３は、収集容器体２内に装着されている排出板で、この排出板３は、収集容器体２内のペットボトル（或いは、粗大ゴミ、不燃ゴミ、古紙、段ボール、一般ゴミ等）を圧縮して減容させたり、収集容器体２内に積載されたペットボトル（或いは、粗大ゴミ、不燃ゴミ、古紙、段ボール、一般ゴミ等）を排出するときに使用されるもので、油圧シリンダ等によって、収集容器体２内を前後に移動できるように構成されている。
また、図中７は、ホッパー５内の開口部４寄り底部に設けられた案内面で、掻込板９がホッパー５底部から斜めに摺動する押上げ動作をする時に、掻込板９で掻き集めたペットボトル（或いは、粗大ゴミ、不燃ゴミ、古紙、段ボール、一般ゴミ等）を、開口部４に向ってスムーズに案内するためのものである。
更に、図中８は、掻込板９を揺動自在に支持すると共に、掻込板９を摺動させるスライダーで、油圧シリンダ等に連繋されており、ホッパー５内を斜めに摺動できるよう構成されている。すなわち、スライダー８の摺動動作によって、掻込板９が、ホッパー５底部がわに向って斜めに摺動する斜降下動作や、ホッパー５底部から斜めに摺動する押上げ動作がスムーズに行えるように構成されている。
【００１６】
そして、本発明のペットボトル用逆戻り防止装置は、前記掻込板９の掻込面の基端がわ部分に、複数の逆戻り防止腕Ｂを略水平方向に於いて適宜間隔で配し、掻込板９が開口部４を塞ぐように移動するときに（掻込板９がホッパー５底部から案内面７に沿って斜めに摺動する押上げ動作のときに）、逆戻り防止腕Ｂの一部或いは全部が開口部４から収集容器体２内に進入してペットボトルを圧迫できるように構成したものである。すなわち、ペットボトル自身を変形させて、ペットボトル相互が絡むようにすると共に、ペットボトルを開口部４付近から収集容器体２奥方に更に押込めるようにして、収集容器体２内で圧迫されたペットボトルが開口部４からホッパー５内に逆戻りしないように構成されている。
尚、複数の逆戻り防止腕Ｂは、適宜間隔で配されており、特に、ホッパー５内のペットボトルを掻込板９で巻込む（掻込む）際に、複数の逆戻り防止腕Ｂが複数のペットボトルの中に潜り込むときの抵抗が少なくて済むように構成されると共に、複数のペットボトルを収集容器体２内に押込む際に、その隙間部分からペットボトルが簡単に脱落しないように構成されている。
【００１７】
また、複数の逆戻り防止腕Ｂは、掻込板９に着脱自在に装着することができる。すなわち、収集ゴミがペットボトルの場合と塵芥の場合とで、一台のプレス式ゴミ収集車を使い分け可能となるように構成できる。
【００１８】
更に、複数の逆戻り防止腕Ｂと、この複数の逆戻り防止腕Ｂが所定間隔で固着される取付板１５とで逆戻り防止体Ａを形成し、掻込板９の掻込面に適数のベース盤２０を固着し、このベース盤２０に適宜取付手段を介して適数の逆戻り防止体Ａが着脱自在となるように構成することができる。すなわち、逆戻り防止体Ａ単位で装着、取外しが行え、逆戻り防止体Ａのメンテナンスや互換装着がより容易に行えるように構成されている。
【実施例】
【００１９】
図４に示す逆戻り防止体Ａは、例えば、適宜金属板材によって構成される一枚の矩形板状の取付板１５に、三つの金属製逆戻り防止腕Ｂを所定間隔に溶着したもので、逆戻り防止腕Ｂは、略六角棒の溶着或いは折曲によって形成される腕体１０と、略帯板状の補強片１４とからなり、前記腕体１０は、取付板１５に対して略直交する向きに配される基部１１と、この基部１１の先端部分に所定角度で連設される折曲部１２と、基部１１の基端部分に略直角に連設されると共に、取付板１５に溶着される固着部１３とからなり、補強片１４は、固着部１３と基部１１に固着されて、全体の強度を高められるようにし、前記取付板１５には、複数の取付孔１６が適宜位置に穿設されている。
【００２０】
また、図５に示す逆戻り防止体Ａは、例えば、一枚の矩形板状の取付板１５に、略六角棒材によって形成される二つの逆戻り防止腕Ｂを所定間隔に溶着したもので、図６に示す逆戻り防止体Ａは、例えば、一枚の矩形板状の取付板１５に、略丸棒材によって形成される二つの逆戻り防止腕Ｂを所定間隔に溶着したもので、図７に示す逆戻り防止体Ａは、例えば、一枚の矩形板状の取付板１５に、略四角棒材によって形成される三つの逆戻り防止腕Ｂを所定間隔に溶着したもので、他の部分は、図４に示す逆戻り防止体Ａと殆ど同じ構成となっているものである。
【００２１】
更に、図８及び図９は、ベース盤２０に着脱自在に装着可能な逆戻り防止腕Ｂを例示するもので、図８の逆戻り防止腕Ｂは、適宜金属製帯板材等の折曲等によって形成される腕体１０と、この腕体１０を補強する略帯板状の補強片１４とからなり、腕体１０は、ベース盤２０に対して略直交する向きに配される基部１１と、この基部１１の先端部分に所定角度で連設される折曲部１２と、基部１１の基端部分に略直角に連設される固着部１３とからなり、補強片１４は、固着部１３と基部１１に固着されると共に斜めに配されて、全体の強度を高められるようにし、前記取付板１５には、複数の取付孔１６が適宜位置に穿設されている。
【００２２】
尚、図９に示す逆戻り防止腕Ｂは、補強片１４を略三角形状とし、固着部１３に略ひょうたん形状の取付孔１７を穿設したもので、他の部分は、図８に示す逆戻り防止腕Ｂと殆ど同じ構成となっているものである。
【００２３】
そして、図１０乃至図１２は、逆戻り防止腕Ｂ（或いは、逆戻り防止体Ａ）をベース盤２０に着脱自在に装着するための取付手段を例示するもので、図１０の取付手段は、ベース盤２０の所定位置に複数の略短円柱状の取付突起２２を設け、この取付突起２２の先端がわにピン孔２３を穿設すると共に、このピン孔２３に挿脱可能なロックピン２４を設けたもので、取付突起２２を取付孔１６に挿通させてから、ロックピン２４をピン孔２３に挿入することにより、取付突起２２が取付孔１６から抜脱されず、その装着状態を確実に維持できるよう構成されたものである。
【００２４】
また、図１１の取付手段は、ベース盤２０の所定位置に複数の取付突起２５を設け、この取付突起２５の先端がわに膨出頭部２６を設け、一方、固着部１３（或いは、取付板１５）の所定位置に複数の略ひょうたん形状の取付孔１７を穿設したものである。すなわち、取付孔１７の大溝を膨出頭部２６が挿通し、この膨出頭部２６を取付孔１７の小溝の周縁部分に係止させることができるように構成されたものである。しかも、この係止状態をベース盤２０に回転自在に設けたネジ棒２８と、このネジ棒２８先端部分に設けられて膨出頭部２６の係止状態を維持するロック片２７とによって、その装着状態を確実に維持できるよう構成されている。
【００２５】
更に、図１２の取付手段は、ベース盤２０の所定位置に複数の取付突起２５を設け、この取付突起２５の先端がわに膨出頭部２６を設け、一方、固着部１３（或いは、取付板１５）の所定位置に複数の略ひょうたん形状の取付孔１７を穿設したものである。すなわち、この取付孔１７の小溝の周縁部分に膨出頭部２６を係止させ、この係止状態をベース盤２０に回転自在に設けたネジ棒３０と、このネジ棒３０先端部分で押圧されて揺動すると共に、膨出頭部２６の係止状態を維持するロック片２９とによって、その装着状態を確実に維持できるよう構成されている。尚、図中３１は、一対のロック片２９に引戻し弾発力を付勢する弾性スプリングである。
【００２６】
ところで、取付手段は、前述のような実施例だけに限定されるものではなく、例えば、単純に取付ボルトによって着脱自在に装着するものでも良いし、その他適宜手段を採用できるものである。
【００２７】
図１３は、掻込板９に複数のベース盤２０を溶着すると共に、隣設するベース盤２０間に補強突部２１を設け、ベース盤２０夫々に逆戻り防止体Ａを装着したものである。すなわち、ベース盤２０は、掻込板９自体を補強すると共に、逆戻り防止体Ａや逆戻り防止腕Ｂの装着を容易にできるようにするもので、補強突部２１は、掻込板９やベース盤２０部分の強度を高められるように設けられたものである。
【００２８】
また、図１４は、掻込板９に複数のベース盤２０を溶着すると共に、隣設するベース盤２０間に補強突部２１を設け（或いは補強突部２１が設けられた一枚のベース盤２０であっても良い）、ベース盤２０に複数の逆戻り防止腕Ｂが設けられた一つの逆戻り防止体Ａを装着したものである。
【００２９】
尚、逆戻り防止腕Ｂの折曲部１２の先端縁部分は、直線的に形成されたものでも良いし、図１３に示すように、略鋸刃状に構成したものでも良いし、その他適宜自由に設定、変更できるものである。また、折曲部１２の先端角部は、図８乃至図１２に示すように直角状でも良いし、図１４に示すように比較的大きく斜めにカットしたように形成して、逆戻り防止腕Ｂが複数のペットボトルの中に潜り込むときの抵抗がより小さくなるように形成しても良いし、その他適宜自由に設定、変更できるものである。
【００３０】
ところで、逆戻り防止装置の具体的構成、形状、寸法、車両１の具体的構成、形状、寸法、収集容器体２の具体的構成、形状、寸法、排出板３の具体的構成、形状、寸法、材質、開口部４の具体的構成、形状、寸法、配設位置、ホッパー５の具体的構成、形状、寸法、投入口６の具体的構成、形状、寸法、配設位置、案内面７の具体的構成、形状、寸法、スライダー８の具体的構成、形状、寸法、掻込板９の具体的構成、形状、寸法、材質、逆戻り防止体Ａの具体的構成、形状、寸法、材質、配設位置、逆戻り防止腕Ｂの数、逆戻り防止腕Ｂの具体的構成、形状、寸法、材質、配設位置、数、腕体１０の具体的構成、形状、寸法、材質、基部１１の具体的構成、形状、寸法、材質、折曲部１２の具体的構成、形状、寸法、材質、固着部１３の具体的構成、形状、寸法、材質、補強片１４の具体的構成、形状、寸法、数、配設位置、取付板１５の具体的構成、形状、寸法、材質、取付孔１６の具体的構成、形状、寸法、配設位置、数、取付孔１７の具体的構成、形状、寸法、配設位置、数、ベース盤２０の具体的構成、形状、寸法、材質、数、配設位置、補強突部２１の具体的構成、形状、寸法、材質、数、配設位置、取付突起２２の具体的構成、形状、寸法、材質、数、配設位置、ピン孔２３の具体的構成、形状、寸法、配設位置、ロックピン２４の具体的構成、形状、寸法、材質、取付突起２５の具体的構成、形状、寸法、材質、膨出頭部２６の具体的構成、形状、寸法、材質、配設位置、ロック片２７の具体的構成、形状、寸法、材質、配設位置、ネジ棒２８の具体的構成、形状、寸法、材質、配設位置、ロック片２９の具体的構成、形状、寸法、材質、配設位置、ネジ棒３０の具体的構成、形状、寸法、材質、配設位置、弾性スプリング３１の具体的構成、形状、寸法、材質、配設位置等は、図示例のもの等に限定されることなく適宜自由に設定、変更できるものである。
【図面の簡単な説明】
【００３１】
【図１】逆戻り防止装置の使用状態を例示する概略側断面図である。
【図２】逆戻り防止装置の掻込板への装着例を示す平面図である。
【図３】逆戻り防止装置の掻込板への装着例を示す側面図である。
【図４】逆戻り防止装置の一部を例示する斜視図である。
【図５】他の逆戻り防止装置の一部を例示する斜視図である。
【図６】他の逆戻り防止装置の一部を例示する斜視図である。
【図７】他の逆戻り防止装置の一部を例示する斜視図である。
【図８】他の逆戻り防止装置の一部を例示する斜視図である。
【図９】他の逆戻り防止装置の一部を例示する斜視図である。
【図１０】逆戻り防止装置の装着状態を例示するもので、（イ）は側面図、（ロ）は底面図、（ハ）は正面図である。
【図１１】逆戻り防止装置の他の装着状態を例示するもので、（イ）は側面図、（ロ）は底面図、（ハ）は正面図である。
【図１２】逆戻り防止装置の他の装着状態を例示するもので、（イ）は側面図、（ロ）は底面図、（ハ）は正面図である。
【図１３】他の逆戻り防止装置の掻込板への装着例を示す平面図である。
【図１４】他の逆戻り防止装置の掻込板への装着例を示す平面図である。
【符号の説明】
【００３２】
１      車両                  ２      収集容器体
３      排出板                ４      開口部
５      ホッパー              ６      投入口
７      案内面                ８      スライダー
９      掻込板
Ａ      逆戻り防止体
Ｂ      逆戻り防止腕
１０    腕体                  １１    基部
１２    折曲部                １３    固着部
１４    補強片
１５    取付板                １６    取付孔
１７    取付孔
２０    ベース盤              ２１    補強突部
２２    取付突起              ２３    ピン孔
２４    ロックピン            
２５    取付突起              ２６    膨出頭部
２７    ロック片              ２８    ネジ棒
２９    ロック片              ３０    ネジ棒
３１    弾性スプリング
【図１】
2006036409.tif 000003
【図２】
2006036409.tif 000004
【図３】
2006036409.tif 000005
【図４】
2006036409.tif 000006
【図５】
2006036409.tif 000007
【図６】
2006036409.tif 000008
【図７】
2006036409.tif 000009
【図８】
2006036409.tif 000010
【図９】
2006036409.tif 000011
【図１０】
2006036409.tif 000012
【図１１】
2006036409.tif 000013
【図１２】
2006036409.tif 000014
【図１３】
2006036409.tif 000015
【図１４】
2006036409.tif 000016